(57)【要約】【課題】電子ペーパーの利点を生かしつつ、表示内容を変更する際の作業性の低下を抑制することのできる自動販売機の表示装置及びこれを備えた自動販売機を提供する。【解決手段】自動販売機１の表示装置は、電子ペーパーで構成されると共にそれぞれが商品に関する商品情報を表示する複数の情報表示部１２と、複数の情報表示部１２の表示動作を制御する制御装置２３とを含む。制御装置２３は、前記商品情報を変更する場合、まず複数の情報表示部１２の全てに前記商品情報を消去させ、その後、選択された情報表示部１２に変更後の商品情報を表示させる一方、選択されなかった情報表示部１２に変更前の商品情報を再表示させる。【選択図】図１
2015149041.tif 000002
【特許請求の範囲】
【請求項１】
それぞれが商品に関する商品情報を表示する複数の電子ペーパー表示部と、
前記複数の電子ペーパー表示部の表示動作を制御する制御部と、
を含み、
前記制御部は、前記商品情報を変更する場合、前記複数の電子ペーパー表示部に前記商品情報を消去させ、その後、選択された電子ペーパー表示部に変更後の商品情報を表示させる一方、選択されなかった電子ペーパー表示部に変更前の商品情報を再表示させる、
自動販売機の表示装置。
【請求項２】
前記制御部は、前記商品情報の変更処理の開始信号が入力されると、前記複数の電子ペーパー表示部に前記商品情報を消去させ、その後、電子ペーパー表示部の選択信号が入力されると、当該選択信号によって選択された電子ペーパー表示部に変更後の商品情報を表示させ、さらにその後、前記商品情報の変更処理の終了信号が入力されると、前記選択信号によって選択されなかった電子ペーパー表示部に変更前の商品情報を再表示させる、請求項１に記載の自動販売機の表示装置。
【請求項３】
前記商品情報の消去は、前記電子ペーパー表示部における残像を抑制するためのリフレッシュ処理を含む、請求項１又は２に記載の自動販売機の表示装置。
【請求項４】
前記変更後の商品情報は、前記複数の電子ペーパー表示部が前記商品情報を消去した後に設定されたものである、請求項１〜３のいずれか一つに記載の自動販売機の表示装置。
【請求項５】
前記制御部は、前記選択された電子ペーパー表示部に前記変更後の商品情報を順次表示させる、請求項１〜４のいずれか一つに記載の自動販売機の表示装置。
【請求項６】
前記自動販売機は、それぞれが前記複数の電子ペーパー表示部のいずれかに対応する複数の商品選択ボタンを有し、
前記商品選択ボタンの操作されることによって当該商品選択ボタンに対応する電子ペーパー表示部が選択される、
請求項１〜５のいずれか一つに記載の自動販売機の表示装置。
【請求項７】
前記自動販売機は、前面が開口した本体キャビネットと、当該本体キャビネットの開口を開閉する外扉と、を有し、
前記制御部は、前記外扉が閉じられると、前記複数の電子ペーパー表示部に残像を抑制するためのリフレッシュ処理を実施させた後に当該リフレッシュ処理の実施前の情報を再表示させる、請求項１〜６のいずれか一つに記載の自動販売機の表示装置。
【請求項８】
それぞれが商品に関する複数項目の商品情報を表示する複数の電子ペーパー表示部と、
前記複数の電子ペーパー表示部の表示動作を制御する制御部と、
を含み、
前記制御部は、前記複数項目のうちの一部の項目の商品情報を変更する場合、前記複数の電子ペーパー制御部に前記複数項目の商品情報を消去させると共に前記一部の項目以外の項目の商品情報を再表示させ、その後、選択された電子ペーパー表示部に前記一部の項目の変更後の商品情報を表示させる一方、選択されなかった電子ペーパー表示部に前記一部の項目の変更前の商品情報を再表示させる、
自動販売機の表示装置。
【請求項９】
請求項１〜８のいずれか一つに記載の自動販売機の表示装置を備えた自動販売機。
【発明の詳細な説明】
【技術分野】
【０００１】
本発明は、自動販売機及びその表示装置に関し、詳しくは、商品に関する商品情報を表示する自動販売機の表示装置及びこれを備えた自動販売機に関する。
【背景技術】
【０００２】
特許文献１には、商品に関する商品情報を表示する商品情報表示部を備えた自動販売機が記載されている。特許文献１に記載の自動販売機において、商品情報表示部は、発光ダイオード（ＬＥＤ）や液晶表示部材（ＬＣＤ）からなり、商品の販売価格、商品の冷温状態などを表示可能に構成されている。このような商品情報表示部は、商品の販売価格や商品の冷温状態などが変更された場合であっても表示内容を容易に変更できるため、非常に便利である。
【先行技術文献】
【特許文献】
【０００３】
【特許文献１】特開２０１１−１８６９５９号公報
【発明の概要】
【発明が解決しようとする課題】
【０００４】
ところで、近年、自動販売機においてもさらなる省電力化が求められている。そこで、出願人は、表示中は常に電力を消費してしまうＬＥＤやＬＣＤで商品情報表示部を構成するのではなく、表示内容を容易に変更できると共に電力を消費することなく表示内容を維持できる電子ペーパーで商品情報表示部を構成することを検討している。
【０００５】
しかし、電子ペーパーの表示内容を変更するためには、変更前の内容を消去してから変更後の内容を表示しなければならず、ＬＥＤやＬＣＤのように変更後の内容が直ちに表示されない。このため、変更後の内容が表示されるまでにディレイが発生し、例えば、表示内容の変更が正しく行われたか否かの確認に一定の時間がかかる。このような状況は、特に複数の商品情報表示部についての表示内容を変更する場合に、その作業性が低下するおそれがあるため好ましくない。
【０００６】
そこで、本発明は、電子ペーパーの利点を生かしつつ、表示内容を変更する際の作業性の低下を抑制することのできる自動販売機の表示装置及びこれを備えた自動販売機を提供することを目的とする。
【課題を解決するための手段】
【０００７】
本発明の一側面によると、自動販売機の表示装置は、それぞれが商品に関する商品情報を表示する複数の電子ペーパー表示部と、前記複数の電子ペーパー表示部の表示動作を制御する制御部と、を含み、前記制御部は、前記商品情報を変更する場合、前記複数の電子ペーパー表示部に前記商品情報を消去させ、その後、選択された電子ペーパー表示部に変更後の商品情報を表示させる一方、選択されなかった電子ペーパー表示部に変更前の商品情報を再表示させる。
【０００８】
本発明の他の側面によると、自動販売機の表示装置は、それぞれが商品に関する複数項目の商品情報を表示する複数の電子ペーパー表示部と、前記複数の電子ペーパー表示部の表示動作を制御する制御部と、を含み、前記制御部は、前記複数項目のうちの一部の項目の商品情報を変更する場合、前記複数の電子ペーパー制御部に前記複数項目の商品情報を消去させると共に前記一部の項目以外の項目の商品情報を再表示させ、その後、選択された電子ペーパー表示部に前記一部の項目の変更後の商品情報を表示させる一方、選択されなかった電子ペーパー表示部に前記一部の項目の変更前の商品情報を再表示させる。
【発明の効果】
【０００９】
前記自動販売機の表示装置によると、電子ペーパー表示部に変更後の商品情報を表示させるときには、すでに変更前の商品情報が消去されているので、変更後の商品情報が表示されるまでのディレイを低減することできる。これにより、電子ペーパーの利点を生かしつつ、表示内容を変更する際の作業性の低下を抑制することができる。
【図面の簡単な説明】
【００１０】
【図１】本発明が適用された自動販売機の一実施形態の正面概略図である。
【図２】前記自動販売機におけるサンプルステージ及びその近傍を示す拡大斜視図である。
【図３】図１のＡ部拡大図であり、前記自動販売機における情報表示部及び商品選択ボタン１３を示す図である。
【図４】前記自動販売機における情報表示部、商品選択ボタン、リモコン、及び制御装置の制御系の構成を示すブロック図である。
【図５】前記自動販売機における情報表示部及びその表示内容、並びに商品選択ボタンを模式的に示す図である。
【図６】前記自動販売機における情報表示部及びその表示内容、並びに商品選択ボタンを模式的に示す図である。
【発明を実施するための形態】
【００１１】
以下、添付図面を参照して本発明の実施形態について説明する。
図１は、本発明が適用された自動販売機の一実施形態の正面概略図である。
本実施形態による自動販売機１は、缶入り飲料やペットボトル入り飲料などの容器入り飲料を商品として販売するものであり、本体キャビネット２と、本体キャビネット２の前面を開閉自在に閉塞する外扉３と、を有する。
【００１２】
本体キャビネット２内には、それぞれが同種類の商品を収納する複数の商品収納コラム（図示省略）が配設されている。各商品収納コラムは、自動販売機１内において独立した断熱空間に区画された複数の庫室内に配置されており、自動販売機１に設けられた冷却／加温機（図示省略）によって各庫室ごとに商品の冷却又は加温を行えるように構成されている。また、各商品収納コラムには、収納商品を一つずつ搬出するための商品搬出機（図示省略）が設けられている。
【００１３】
外扉３の前面には、金銭投入口４（紙幣投入口４ａ，硬貨投入口４ｂ）、デジタル表示器５、金銭返却レバー６、商品取出口７、及び硬貨返却口８が設けられている。また、外扉３（自動販売機１）の上部には、前記複数の商品収納コラムに収納された各商品に対応する商品サンプルＳを展示するサンプル展示室１０が設けられている。サンプル展示室１０は、外扉３の前面上部の開口部に取り付けられた透明な前面パネル３１の内側に形成されている。
【００１４】
サンプル展示室１０内には、左右方向に延びるサンプルステージ１１が上下方向に複数段（ここでは三段）に配置されている。各サンプルステージ１１上には、複数の商品サンプルＳが載置されており、各サンプルステージ１１の前面には、商品に関する商品情報を表示する、商品サンプルＳと同数の情報表示部１２が取り付けられている。
【００１５】
図２は、サンプルステージ１１及びその近傍を示す拡大斜視図である。
本実施形態において、各サンプルステージ１１の上面には、その延伸方向（すなわち、自動販売機１の左右方向）に沿って１２個の商品サンプルＳが並んで載置され、各サンプルステージ１１の前面には、前記延伸方向に沿って１２個の情報表示部１２が取り付けられている。すなわち、本実施形態において、商品サンプルＳ及び情報表示部１２は、それぞれ３６個ずつ設けられ、商品サンプルＳと情報表示部１２とは一対一で対応している。但し、商品サンプルＳ及び情報表示部１２の個数は任意に設定可能である。
【００１６】
図１に戻って、透明な前面パネル３１の前面には、複数の商品選択ボタン１３が配設されている。具体的には、透明な前面パネル３１の前面には、それぞれが各情報表示部１２の下側に位置するように３６個の商品選択ボタン１３が配設されている。つまり、各商品選択ボタン１３は、いずれかの情報表示部１２に対応して設けられている。各商品選択ボタン１３は、押下操作されると、その旨の信号（以下「押下操作信号」という）を発生するように構成されている。
【００１７】
図３は、図１のＡ部拡大図であり、情報表示部１２及び商品選択ボタン１３を示している。本実施形態において、情報表示部１２は、電気的に表示内容を変更できると共に表示中に電力を消費しない（ほとんど消費しない）電子ペーパーで構成されている。情報表示部１２は、商品に関する複数項目の商品情報を表示可能であり、ここでは、前記複数項目の商品情報として対応商品の販売価格及び対応商品の冷温状態を表示するように構成されている。
【００１８】
情報表示部１２は、例えばツイストボール方式の電子ペーパーで略矩形状に形成されており、中央の価格表示領域１２１と、価格表示領域１２１を囲むように設けられた冷温表示領域１２２と、を有している。価格表示領域１２１と冷温表示領域１２２とは区分されており、冷温表示領域１２２はさらに上側半分１２２ａと下側半分１２２ｂとに区分されている。そして、情報表示部１２は、図示省略の電極に所定の電圧が印加されることによってツイストボールが回転し、これにより、各領域に所定の文字等を表示するようになっている。具体的には、本実施形態において、情報表示部１２は、価格表示領域１２１に黒文字（白色背景）で対応商品の販売価格（ここでは１２０円を表す１２０）を表示する。また、対応商品が加温商品である場合、情報表示部１２は、冷温表示領域１２２の上側半分１２２ａに、「あたたか〜い」などの対応商品が加温されている旨を白抜き文字（赤色背景）で表示する（図３（ａ）参照）。さらに、対応商品が冷却商品である場合、情報表示部１２は、冷温表示領域１２２の下側半分１２２ｂに、「つめた〜い」などの対応商品が冷却されている旨を白抜き文字（青色背景）で表示する（図３（ｂ）参照）。
【００１９】
再び図１に戻って、自動販売機１の内部には、破線で示すように、貨幣処理機２１、リモコン２２、制御装置２３などが設けられている。
貨幣処理機２１は、金銭投入口４に投入された金銭の計数処理などを実施する。リモコン２２は、自動販売機１における各種設定や変更などを行うためにオペレータによって操作される。制御装置２３は、前記冷却／加熱器、前記商品搬出機、情報表示部１２、商品選択ボタン１３、リモコン２２などと信号線を介して接続されており、自動販売機１における各種の動作を統括的に制御する。
【００２０】
また、制御装置２３は、主にリモコン２２を介したオペレータの設定／変更操作などに応じて各情報表示部１２の表示動作を制御する。例えば、オペレータがリモコン２２を用いて各商品の販売価格や冷温状態を入力すると、制御装置２３は、オペレータの入力に応じた制御信号を各情報表示部１２に出力する。すると、各情報表示部１２は、入力した制御信号に基づいて、価格表示領域１２１に対応商品の販売価格を表示し、冷温表示領域１２２に対応商品の冷温状態を表示する（図３参照）。
【００２１】
次に、本実施形態における情報表示部１２の表示内容の変更について図４〜図６を参照して説明する。図４は、各情報表示部１２、各商品選択ボタン１３、リモコン２２、及び制御装置２３の制御系の構成を示すブロック図であり、図５及び図６は、各情報表示部１２及びその表示内容、並びに各商品選択ボタン１３を模式的に示す図である。なお、以下の説明においては、説明の便宜上、各情報表示部１２を１２−１〜１２−３６とし、各商品選択ボタン１３を１３−１〜１３−３６とする場合がある。
【００２２】
本実施形態において、情報表示部１２の表示内容の変更は、通常、外扉３が開かれた状態で、オペレータがリモコン２２及び商品選択ボタン１３を操作することによって行われる。ここでは、情報表示部１２−１〜１２−３６のうち、情報表示部１２−１及び情報状表示部１２−２における販売価格の表示を変更する場合（販売価格を１２０円から１５０円に変更する場合）について説明する。
【００２３】
図５（ａ）は、販売価格を変更する前の状態を示している。この状態においては、全商品の販売価格が１２０円に設定されており、各情報表示部１２−１〜１２−３６は、その価格表示領域１２１に「１２０」を表示している。また、ここでは全商品が冷却商品であるものとし、各情報表示部１２−１〜１２−３６は、その冷温表示領域１２２の下側半分１２２ｂに「つめた〜い」を表示している。なお、冷温表示領域１２２の上側半分１２２ａは無表示（白色）である。
【００２４】
オペレータがリモコン２２を操作して「価格設定／変更」処理を選択すると、リモコン２２から「価格設定／変更」処理の開始信号が制御装置２３に出力される。制御装置２３は「価格設定／変更」処理の開始信号を入力すると、例えばリフレッシュ処理信号を全ての情報表示部１２−１〜１２−３６に出力して全ての情報表示部１２−１〜１２−３６にリフレッシュ処理を実施させる。このリフレッシュ処理は、例えば画面の黒白反転を行うことによって残像を抑制するものであり、これにより、全ての情報表示部１２−１〜１２−３６の表示内容が消去され、図５（ｂ）に示すように、全ての情報表示部１２−１〜１２−３６が無表示の状態となる（白色）となる。
【００２５】
また、制御装置２３は、全ての情報表示部１２−１〜１２−３６にリフレッシュ処理信号を出力した後、例えば、冷温状態の再表示信号を全ての情報表示部１２−１〜１２−３６に出力して全ての情報表示部１２−１〜１２−３６に変更対象項目ではない冷温状態を再表示させる。すなわち、全ての情報表示部１２−１〜１２−３６において、冷温表示領域１２２における表示内容を前記リフレッシュ処理前の状態に戻す。これにより、図５（ｃ）に示すように、各情報表示部１２−１〜１２−３６において、価格表示領域１２１は無表示の状態のままであるが、冷温表示領域１２２の下側半分１２２ｂには「つめた〜い」が再表示される。
【００２６】
次いで、オペレータがリモコン２２を操作して変更後の販売価格（１５０円）を入力すると、入力された変更後の販売価格情報が制御装置２３に出力される。但し、この段階においては、制御装置２３は、各情報表示部１２−１〜１２−３６に対する制御を特に行わない。すなわち、各情報表示部１２−１〜１２−３６の表示内容は、図５（ｃ）に示す状態のままである。
【００２７】
次いで、オペレータが情報表示部１２−１に対応する（すなわち、直下にある）商品選択ボタン１３−１を押下操作すると、商品選択ボタン１３−１の発生した押下操作信号が制御装置２３に入力される。すると、制御装置２３は、例えば販売価格の表示信号を情報表示部１２−１に出力して情報表示部１２−１に前記変更後の販売価格を表示させる。これにより、図６（ａ）に示すように、情報表示部１２−１の価格表示領域１２１には「１５０」が表示される。
【００２８】
次いで、オペレータが情報表示部１２−２に対応する商品選択ボタン１３−２を押下操作すると、商品選択ボタン１３−２の発生した押下操作信号が制御装置２３に入力される。すると、制御装置２３は、前記販売価格の表示信号を情報表示部１２−２に出力して情報表示部１２−２に前記変更後の販売価格を表示させる。これにより、図６（ｂ）に示すように、情報表示部１２−１の価格表示領域１２１と同様、情報表示部１２−２の価格表示領域１２１には「１５０」が表示される。
【００２９】
つまり、オペレータが商品選択ボタン１３を押下操作する度に、押下操作された商品選択ボタン１３に対応する情報表示部１２が選択され、選択された情報表示部１２の価格表示領域１２１に「１５０」が順次表示されることになる。
【００３０】
次いで、オペレータがリモコン２２の終了キーを押下操作し又はオペレータがリモコン２２を操作して「価格設定／変更」処理以外の処理を選択すると、リモコン２２から「価格設定／変更」処理の終了信号が制御装置２３に出力される。制御装置２３は「価格設定／変更」処理の終了信号を入力すると、例えば販売価格の再表示信号を、オペレータの商品選択ボタン１３の押下操作によって選択されなかった情報表示部１２−３〜１２−３６に出力して情報表示部１２−３〜１２−３６に変更前の販売価格を再表示させる。これにより、図６（ｃ）に示すように、情報表示部１２−３〜１２−３６の価格表示領域１２１に「１２０」が表示されて、販売価格の表示の変更処理が終了する。
【００３１】
そして、販売価格に表示の変更処理の終了後、オペレータが外扉３を閉じると、例えば外扉３の開閉を検知するセンサなど（図示省略）から閉検知信号が制御装置２３に入力される。すると、制御装置２３は、前記リフレッシュ処理信号を全ての情報表示部１２−１〜１２−３６に出力して全ての情報表示部１２−１〜１２−３６に前記リフレッシュ処理を実施させる。また、制御装置２３は、前記リフレッシュ処理信号の出力後、販売価格の再表示信号及び冷温状態の再表示信号を全ての情報表示部１２−１〜１２−３６に出力して全ての情報表示部１２−１〜１２−３６に直前の（すなわち、前記リフレッシュ処理の実施前の）販売価格及び冷温状態を再表示させる。
【００３２】
本実施形態において、各情報表示部１２が本発明の「電子ペーパー表示部」に相当し、制御装置２３が本発明の「制御部」に相当する。また、前記「価格設定／変更」処理の開始信号が本発明の「変更処理の開始信号」に相当し、各商品選択ボタン１３の発生する押下操作信号が本発明の「選択信号」に相当し、前記「価格設定／変更」処理の終了信号が本発明の「変更処理の終了信号」に相当する。
【００３３】
上述の実施形態において、複数の情報表示部１２の情報表示動作を制御する制御装置２３は、各情報表示部１２の表示する商品情報（ここでは販売価格）について、少なくとも一つの情報表示部１２の前記商品情報を変更する場合、複数の情報表示部１２の全てに前記商品情報を消去させ、その後、選択された情報表示部１２に変更後の商品情報を表示させる一方、選択されなかった情報表示部１２に変更前の商品情報を再表示させる。
このような構成によると、全ての情報表示部１２の商品情報が事前に消去されるので、商品情報が変更される情報表示部１２、すなわち、前記選択された情報表示部１２は、変更前の商品情報を消去することなく、単に変更後の商品情報を表示するだけで済む。このため、情報表示部１２を電子ペーパーで構成した場合であっても、例えばオペレータによる操作等から変更後の商品情報が表示されるまでのディレイが低減され、オペレータは商品情報の変更が正しく行われたか否かを速やかに確認することができる。これにより、電子ペーパーの利点を生かしつつ、情報表示部１２の表示する商品情報を変更する際の作業性の低下を抑制することができる。
【００３４】
また、制御装置２３は、前記商品情報の変更処理（前記「価格設定／変更」処理）の開始信号が入力されると、複数の情報表示部１２の全てに前記商品情報を消去させる。制御装置２３は、その後、情報表示部１２の選択信号（選択ボタン１３の押下操作信号）が入力されると、当該選択信号によって選択された情報表示部１２に変更後の商品情報を表示させ、さらにその後、前記商品情報の変更処理の終了信号が入力されると、前記選択信号によって選択されなかった情報表示部１２に変更前の商品情報を再表示させる。
このような構成によると、複数の情報表示部１２の全ての前記商品情報が消去されている状態で、前記選択された情報表示部１２に変更後の商品情報が表示されるので、例えばオペレータは、変更後の商品情報を容易に視認することができる。これにより、情報表示部１２の表示する商品情報を変更する際の作業性の低下をさらに抑制することができる。
【００３５】
ここで、前記商品情報の消去は、例えば画面を黒白判定して残像を抑制するためのリフレッシュ処理によって行われているので（図５（ｂ）参照）、各情報表示部１２におけるコントラストの低下等が抑制されて前記商品情報の十分な視認性を確保できる。
【００３６】
また、変更後の商品情報は、複数の情報表示部１２の全ての前記商品情報が消去された後に設定されており、制御装置２３は、前記選択された情報表示部１２に変更後の商品情報を順次表示させるようにしている（図６（ａ），（ｂ）参照）。これにより、例えばオペレータは、商品情報の変更が正しく行われたか否かを容易に確認することができる。
【００３７】
さらに、制御装置２３は、外扉３が閉じられると、複数の情報表示部１２の全てに前記リフレッシュ処理を実施させ、その後、当該リフレッシュ処理の実施前の商品情報を再表示させる。これにより、自動販売機１に商品を搬入するときや各種設定の変更を行うときなどにも前記リフレッシュ処理が実施されるので、各情報表示部１２におけるコントラストの低下等がさらに抑制されて前記商品情報の十分な視認性を確保できる。
【００３８】
以上、本発明の好ましい実施形態を説明したが、本発明は上述の実施形態に制限されるものではなく、本発明の技術的思想に基づいて更なる変形や変更が可能であることはもちろんである。以下にそのうちのいくつかを例示する。
【００３９】
例えば、上述の実施形態では、制御装置２３が各情報表示部１２の表示動作を制御しているが、制御装置２３とは別に各情報表示部１２の情報表示動作を制御する表示制御部を設けてもよい。この場合、前記表示制御部と各情報表示部１２とを信号線で接続すると共に、前記表示制御部と制御装置２３とを信号線で接続する。そして、前記表示制御部が制御装置２３からの制御信号に基づいて上述の制御装置２３と同様の制御（処理）を実施するように構成すればよい。なお、このように構成した場合には、制御装置２３及び前記表示制御部が、本発明の「制御部」に相当する機能を有するように構成することができる。例えば、制御装置２３が前記商品情報を含む制御信号を前記表示制御部に出力し、前記表示制御部が各情報表示部１２の表示／消去を制御するように構成することができる。ここで、前記表示制御部がメモリ等を有して前記商品情報を記憶できる構成の場合には、外扉３が閉じられたときに、制御装置２３は単に前記リフレッシュ処理の実施のための信号を前記表示制御部に出力すればよく、前記表示制御部は、前記リフレッシュ処理を実施すると共に自身のメモリ情報に基づいて、前記リフレッシュ処理の実施前の商品情報を再表示することができる。
【００４０】
また、３個、４個又は６個の情報表示部１２を一体化して表示ユニットとしてもよい。この場合、上述の表示内容の変更処理を表示ユニット毎に実施するように構成することもできる。
【００４１】
さらに、複数の情報表示部１２に対する前記リフレッシュ処理は、上述の情報表示部１２の表示内容の変更処理とは無関係に実施するようにするのが好ましい。自動販売機１には、継続的又は断続的に振動が発生し、また、外部から衝撃等が加わる場合もある。このような振動や衝撃は、電子ペーパーで構成される情報表示部１２のコントラスト等を低下させる可能性があり、その結果、情報表示部１２に表示された前記商品情報の視認性が低下するおそれがあるからである。
【００４２】
そこで、外扉３が開かれたとき、外扉３が閉じられたとき、及び／又は利用者の少ない時間帯（例えば深夜）などに、制御装置２３が複数の情報表示部１２の全部又は一部に前記リフレッシュ処理を実施させ、その後、当該リフレッシュ処理の実施前の商品情報を再表示させるように自動販売機１を構成してもよい。また、自動販売機１の前面に人感センサなどを配置し、制御装置２３は、利用者の少ない時間帯を判断したり、商品の販売数が所定数以上となり且つ利用者がいないときを判断したりして、複数の情報表示部１２の全部又は一部に前記リフレッシュ処理を実施させ、その後、当該リフレッシュ処理の実施前の商品情報を再表示させるようしてもよい。なお、この場合、自動販売機の表示装置は、例えば、それぞれが商品に関する商品情報を表示する複数の電子ペーパー表示部と、前記複数の電子ペーパー表示部の表示動作を制御する制御部とを含み、前記制御部が、前記自動販売機の本体キャビネットの開口を開閉する外扉の開閉に応じて、前記複数の電子ペーパー表示部に、残像を抑制するためのリフレッシュ処理を実施させるように構成することができる。
【符号の説明】
【００４３】
１…自動販売機、２…本体キャビネット、３…外扉、１０…サンプル展示室、１１…サンプルステージ、１２…情報表示部（電子ペーパー表示部）、１３…商品選択ボタン、２２…リモコン、２３…制御装置（制御部）、１２１…価格表示領域、１２２…冷温表示領域、Ｓ…商品サンプル
【図１】
2015149041.tif 000003
【図２】
2015149041.tif 000004
【図３】
2015149041.tif 000005
【図４】
2015149041.tif 000006
【図５】
2015149041.tif 000007
【図６】
2015149041.tif 000008